(57)【特許請求の範囲】
【請求項１】
内部に永久磁石が配置され、回転可能に設けられた良導電体金属製の平盤状回転体と、前記平盤状回転体の上方かつ近傍に、前記永久磁石による磁界中に配置された導電材を含む発熱部と、該発熱部上に立設された複数の熱風流通管からなる熱風捕捉板とからなり、該熱風捕捉板には複数の熱風流通孔が螺旋状又はインボリュート曲線状に配置穿孔され、前記複数の熱風流通管に連通させると共に、当該熱風捕捉板を、熱風排気筒を有する略円筒形状のカバーで被覆し、前記発熱部で発生したジュール熱を熱風として捕集することを特徴とする永久磁石を利用した熱風発生装置。
【発明の詳細な説明】
【技術分野】
【０００１】  本発明は、永久磁石を用いて渦電流を発生させて得たジュール熱により熱風を発生させ、とくに、発生した熱風をハウス栽培の加温、家屋の暖房や積雪溶解に使用して好適な熱風発生装置に関するものである。
【背景技術】
【０００２】  従来から交流電流により交流磁界を発生させて行う誘導加熱の手法を用いた電磁誘導式加熱装置が種々提案されている。例えば、導電性の被加熱体と交流磁場発生手段から構成される誘導加熱装置において、直流磁場発生手段を永久磁石とし、この直流磁場に交流磁場を作用させることにより、被加熱体を急速に加熱するようにした誘導加熱装置（特許文献１参照）や渦電流が発生可能なロータリーの外周に複数の永久磁石を配置した加熱装置（特許文献２参照）等が提案されている。
【先行技術文献】
【特許文献】
【０００３】
【特許文献１】特開２００２−３４３５４１号公報
【特許文献２】再公表ＷＯ２００３／０５３１０３号公報
【発明の概要】
【発明が解決しようとする課題】
【０００４】  しかしながら、上記従来の装置は、複写機におけるトナーの定着や工業用材料の乾燥・加熱に応用したものであり、一般家庭における熱原や農業分野における加温装置としての応用例はほとんど無いのが実情である。
本発明は上記のような従来技術の課題に鑑み、簡単な構成で、一般家庭や農業分野において、高効率で、安全且つ経済的な熱源として有用な永久磁石を用いた熱風発生装置を提供することを目的とするものである。
【課題を解決するための手段】
【０００５】  この目的を達成するため、本発明の熱風発生装置は、内部に永久磁石が配置され、回転可能に設けられた良導電体金属製の平盤状回転体と、前記平盤状回転体の上方かつ近傍に、前記永久磁石による磁界中に配置された導電材を含む発熱部と、該発熱部上に立設された複数の熱風流通管からなる熱風捕捉板とからなり、該熱風捕捉板には複数の熱風流通孔が螺旋状又はインボリュート曲線状に配置穿孔され、前記複数の熱風流通管に連通させると共に、当該熱風捕捉板を、熱風排気筒を有する略円筒形状のカバーで被覆し、前記発熱部で発生したジュール熱を熱風として捕集することを特徴とする。
【発明の効果】
【０００６】  本発明の熱風装置は、以下の優れた効果がある。
（１）渦電流により導電材料を発熱させる自己発熱なので、熱効率がよく、また二酸化炭素の発生がなく、エコロジーな熱源である。また、使用する電力消費量は少なく、ランニングコストを低く抑えることができる。
（２）ロータ内に永久磁石を配置し、導電材料の近傍で回転させるだけの簡単な構造なので、故障しにくく、メンテナンスもし易い。
（３）温度調整は、ロータの回転数の調整だけで済むので、容易である。
（４）複数の熱風流通管が配置され、熱風捕捉板により、発熱部で発生したジュール熱を効率良く捕集し使用できるので、さらに効率が増大する。
【図面の簡単な説明】
【０００７】
【図１】本発明に係る永久磁石を用いた熱風発生装置の一実施例を示す斜視図である。
【図２】回転体内の永久磁石の配置図である。
【図３】熱風捕捉部を模式的に示す側面図である。
【図４】本装置にプロアーを接続した状態を示す斜視図である。
【図５】発熱部内に熱媒体流通管路の配置例を示す平面図である。
【図６】発熱部内に熱媒体流通管路の配置例を示す平面図である。
【発明を実施するための形態】
【０００８】  本発明では、金属板等の導電材の近傍に、強力な磁力を有する永久磁石を内部に配置した平盤状ロータを高速回転させることによって、導電材にＮ，Ｓの磁極が交互に横切り、その結果、電磁誘導現象により導電材自体には渦電流が発生し、この渦電流が熱エネルギーに変換されて導電材が発熱する。
【０００９】  導電材としては、磁力により渦電流が発生し易い、銅、銀、アルミニウム、ステンレスなどの良導電体の金属を選択するのが好ましい。
【００１０】  永久磁石としては、例えば、ネオジウム系磁石、サマリウム系磁石などの表面３０００ガウス以上の永久磁石を使用するのが好ましい。永久磁石の磁力の強さが強いほど導電材は高温に発熱する。永久磁石は導電材の周りを数１００ｒｐｍ以上で回転させる。必要発熱量や用途にあわせて、永久磁石の強さや極数、回転数は決定される。発熱温度調整はロータの回転数の調整により容易に行うことができる。
【００１１】  熱風捕捉板の材質としては、導電材と同様に、銅、銀、アルミニウム、ステンレスなどの良導電体の金属を選択するのが好ましい。また、熱風流通孔の数及び穿孔位置は任意であるが、螺旋状やインボリュート曲線状に配置するのが望ましい。
【実施例】
【００１２】  図１に示すように、本発明の電磁誘導式熱風発生装置は、複数の永久磁石１ａが任意の間隔をおいて固定された平盤状回転体１の上方かつ近傍に、発熱部としてのアルミニウム製の矩形板と、この板上に立設された複数の熱風流通管２からなる熱風捕捉板６が脚立部２ａにより架台４上に立設固定配置されている。【００１３】  熱風捕捉部６のカバー７には、熱風排出筒７ａが設けられると共に、その周縁から突出して各々４箇所の鍔部７ｂが一体に形成され、この鍔部７ｂに脚立部２ａの先端を挿通させてナット締めして固定される。【００１４】  図２に示すように、永久磁石１ａは回転体１の円周に沿って等間隔に配置する。磁石１ａは、それぞれＮ極とＳ極とが交互に位置するように配置しても良いし、同極同士が隣接するように配置しても良い。配置する個数も任意である。回転体１は、モータ３に連結された回転軸３ｃにより高速回転する。尚、本実施例においてモータ３の電源は商用電源５としたが、太陽光、水力、風力等の自然界のエネルギーを用いて電源とすることが有益なことは言うまでもない。【００１５】  図３に示すように、熱風捕捉部１０は、発熱部２で発生したジュール熱を捕捉収集する装置であり、図２に示すように、複数の熱風流通孔６ａが穿孔され、これに連通して立設された複数の熱風流通管２を有するアルミ製の熱風捕捉板６の上面に熱風排気筒７ａを有する略円筒状のカバー７で被覆して設けられる。
図４に示すように、熱風排気筒７ａにはダクト８を介してブロアーＰが連結されており、引圧して発熱部２で発生したジュール熱を熱風として捕集して送風するようにされている。【００１６】  尚、熱風流通孔及び熱風流通管の数、形状及び穿孔位置は任意であり、本実施例に限定されないことは言うまでもない。また、発熱部２と熱風捕捉部１０を同一部材とし、双方の機能を兼ねる構成にしても良い。【００１７】  さらに、図５及び図６に示すように、本装置の発熱部２内に熱媒体流通管路９を設け、水、油、シリコン等の熱媒体を流通させることで、例えば、融雪装置としても使用できる。
【産業上の利用可能性】
【００１８】  本発明装置は、農業分野での温室ハウス栽培における加温装置として、また、家屋の暖房や積雪溶解用の熱原として使用でき実用性が高く極めて有用である。
【符号の説明】
【００１９】１  回転体
１ａ永久磁石
２  熱風流通管（発熱部）
２ａ脚立部
３  モータ
３ａモータの回転軸
４  架台
５  商用電源
６  熱風捕捉板
６ａ熱風流入孔
７  熱風捕捉板のカバー
７ａ熱風排出筒
７ｂ熱風捕捉板のカバーの鍔部
８  ダクト
９  熱媒体流通管路
１０熱風捕捉部
Ｐ  ブロアー
【図１】
0005720937.tif 000002
【図２】
0005720937.tif 000003
【図３】
0005720937.tif 000004
【図４】
0005720937.tif 000005
【図５】
0005720937.tif 000006
【図６】
0005720937.tif 000007